(57)【特許請求の範囲】
【請求項１】
垂木上面に沿って取り付けるための第一取付部と、軒樋を取り付けるための吊り部と、上下方向に設置された破風部材の外側面に沿って取り付けるための第二取付部とを備え、第二取付部は吊り部に連結した外側部と、外側部に脱着可能な内側部と、第一取付部の一端から延設され、外側部及び内側部によって挟持される挿入部とを有する軒樋用吊り具。
【請求項２】
前記吊り部が着脱可能な構造を有する請求項１に記載の軒樋用吊り具。
【請求項３】
第一取付部は垂木上面への取り付け位置の指標を有する請求項１又は２に記載の軒樋用吊り具。
【請求項４】
第一取付部は取付用穴を少なくとも一カ所有する請求項１〜３の何れか一項記載の軒樋用吊り具。
【請求項５】
第二取付部は取付用穴を少なくとも一カ所有する請求項１〜４の何れか一項に記載の軒樋用吊り具。
【請求項６】
第二取付部は外側部、内側部及び挿入部を貫通する取付用穴を少なくとも一つ有する請求項５に記載の軒樋用吊り具。
【請求項７】
吊り部及び第二取付部の外側部を構成する部品と、第一取付部及び挿入部を構成する部品と、第二取付部の内側部を構成する部品を有する請求項１〜６の何れか一項に記載の軒樋用吊り具。
【請求項８】
垂木と、垂木の外側面に隣接して上下方向に設置された破風部材と、垂木及び破風部材の上側に設置された野地板と、野地板の上側に設置された屋根材と、請求項１〜７の何れか一項に記載の軒樋用吊り具と、軒樋とを備えた軒先構造であって、軒樋は軒樋用吊り具の吊り部に取り付けられており、軒樋用吊り具の第一取付部は垂木の上面に沿って取り付けられていると共に垂木の上面及び野地板の下面の間に挟まれており、軒樋用吊り具の第二取付部は破風部材の外側面に沿って取り付けられている軒先構造。
【請求項９】
軒樋用吊り具の破風部材の外側面に沿った取り付けは、軒樋用吊り具の第二取付部及び破風部材を貫通し、先端が垂木の内部で停止している少なくとも一本の固定用部材によって行われている請求項８に記載の軒先構造。
【発明の詳細な説明】
【技術分野】
【０００１】
本発明は軒樋用吊り具に関する。また、本発明は建物の軒先構造に関する。
【背景技術】
【０００２】
建物の屋根の軒先には一般に、屋根面から流れ落ちる雨水を受けるための軒樋が軒先に沿って敷設されている。図２には従来の一般的な軒先構造の例を説明する概略断面図が示されている。この軒先構造は、垂木１と、垂木１の外側面に隣接して上下方向に設置された破風部材４と、垂木１及び破風部材４の上側に設置された野地板２と、野地板２の上側に設置された屋根材３と、破風部材４の外側に配置された軒樋６と、軒樋６を支持する軒樋用吊り具５０を具備している。
【０００３】
軒樋の設置工事は一般的に垂木、野地板、屋根材及び破風部材などの外装工事終了後に行うことが一般的である（例えば非特許文献１のｐ１８参照）。このため、軒樋用吊り具は破風部材の外側面、又は、破風部材がない場合には垂木の外側面にビスや釘等の固定用部材を用いて取り付けることが一般的となっている。このような軒先構造は例えば特許文献１の図１や特許文献２の図２に開示されている。
【先行技術文献】
【特許文献】
【０００４】
【特許文献１】特開２００９−１５００８９号公報
【特許文献２】特開平７−２６９０５０号公報
【非特許文献】
【０００５】
【非特許文献１】福本雅嗣著、「木造住宅・工事管理テキスト」特定非営利活動法人建築技術支援協会、２０１１年３月
【発明の概要】
【発明が解決しようとする課題】
【０００６】
このように、軒樋用吊り具は破風部材が存在する場合は、破風部材の外側面に取り付けることが一般的となっているため、破風部材が破損しやすい材質の場合や、破風部材が窯業系の材質などであることによって軒樋用吊り具を固定するビスや釘が抜けやすい場合は、雨、雪又は風などの影響で軒樋用吊り具が破風部材から脱落するおそれがある。
【０００７】
また、破風部材が軒樋用吊り具を固定するビスや釘の固定効果を発現できない厚さの場合には、雨、雪又は風などの影響で軒樋用吊り具が脱落するおそれがある。
【０００８】
本発明の目的は、上記問題に着目してなされたもので、破風部材の材質及び厚さに関係なく軒先に取り付け可能な軒樋用吊り具を提供することを課題の一つとする。また、本発明は本発明に係る軒樋用吊り具を備えた軒先構造を提供することを別の課題の一つとする。
【課題を解決するための手段】
【０００９】
本発明は一側面において、垂木上面に沿って取り付けるための第一取付部と、軒樋を取り付けるための吊り部とを備えた軒樋用吊り具である。
【００１０】
本発明に係る軒樋用吊り具の一実施形態においては、前記吊り部が着脱可能な構造を有する。
【００１１】
本発明に係る軒樋用吊り具の別の一実施形態においては、第一取付部は垂木上面への取り付け位置の指標を有する。
【００１２】
本発明に係る軒樋用吊り具の更に別の一実施形態においては、第一取付部は取付用穴を少なくとも一カ所有する。
【００１３】
本発明に係る軒樋用吊り具の更に別の一実施形態においては、上下方向に設置された破風部材の外側面に沿って取り付けるための第二取付部を更に備える。
【００１４】
本発明に係る軒樋用吊り具の更に別の一実施形態においては、第二取付部は取付用穴を少なくとも一カ所有する。
【００１５】
本発明に係る軒樋用吊り具の更に別の一実施形態においては、第二取付部は吊り部に連結した外側部と、外側部に脱着可能な内側部と、第一取付部の一端から延設され、外側部及び内側部によって挟持される挿入部とを有する。
【００１６】
本発明に係る軒樋用吊り具の更に別の一実施形態においては、第二取付部は外側部、内側部及び挿入部を貫通する取付用穴を少なくとも一つ有する。
【００１７】
本発明に係る軒樋用吊り具の更に別の一実施形態においては、吊り部及び第二取付部の外側部を構成する部品と、第一取付部及び挿入部を構成する部品と、第二取付部の内側部を構成する部品を有する。
【００１８】
本発明は別の一側面において、垂木と、垂木の外側面に隣接して上下方向に設置された破風部材と、垂木及び破風部材の上側に設置された野地板と、野地板の上側に設置された屋根材と、第一取付部を有する本発明に係る軒樋用吊り具と、軒樋とを備えた軒先構造であって、軒樋は軒樋用吊り具の吊り部に取り付けられており、軒樋用吊り具の第一取付部は垂木の上面に沿って取り付けられていると共に垂木の上面及び野地板の下面の間に挟まれている軒先構造である。
【００１９】
本発明は更に別の一側面において、垂木と、垂木の外側面に隣接して上下方向に設置された破風部材と、垂木及び破風部材の上側に設置された野地板と、野地板の上側に設置された屋根材と、第一取付部及び第二取付部を有する本発明に係る軒樋用吊り具と、軒樋とを備えた軒先構造であって、軒樋は軒樋用吊り具の吊り部に取り付けられており、軒樋用吊り具の第一取付部は垂木の上面に沿って取り付けられていると共に垂木の上面及び野地板の下面の間に挟まれており、軒樋用吊り具の第二取付部は破風部材の外側面に沿って取り付けられている軒先構造である。
【００２０】
本発明に係る軒先構造の一実施形態においては、軒樋用吊り具の破風部材の外側面に沿った取り付けは、軒樋用吊り具の第二取付部及び破風部材を貫通し、先端が垂木の内部で停止している少なくとも一本の固定用部材によって行われている。
【発明の効果】
【００２１】
本発明によれば、破風部材の材質及び厚さに関係なく高い取付強度で軒先に取り付け可能な軒樋用吊り具を提供することができる。このため、本発明によれば破風部材の材質及び厚さを含めた設計自由度を高めることができ、更にはコストダウンにも貢献できる。例えば従来では外表面を構成する破風部材が薄い場合のほか、金属製や窯業系の材質の場合には、下地として厚みのある木製の破風部材を必要としていたところ、そのような下地が不要となるため、工事の簡略化及び施工費用の低減を図ることが可能となる。
【図面の簡単な説明】
【００２２】
【図１】本発明に係る軒先構造の一実施例の概略断面図である。
【図２】従来の一般的な軒先構造の一実施例の概略断面図であり、破風部材の外側面に固定部材を用いて軒樋用吊り具を取り付けている様子が示されている。
【図３】本発明に係る軒樋用吊り具の一実施例の概略断面図である。
【図４】本発明に係る軒樋用吊り具の一実施例の概略断面図であり、吊り部が着脱可能な構造の例が示されている。
【図５−１】本発明に係る軒樋用吊り具の第一取付部及び挿入部を構成する部品の一実施例の概略図であり、当該部材には垂木上面への取り付け位置の指標として目盛り線が設けられている。
【図５−２】本発明に係る軒樋用吊り具の第一取付部及び挿入部を構成する部材の一実施例の概略図であり、当該部材には垂木上面への取り付け位置の指標として切り欠きが設けられている。
【図６】本発明に係る軒樋用吊り具の軒先への固定方法の一例として、固定部材を用いて第一取付部を垂木に取り付ける方法を示す。
【図７】本発明に係る軒先構造の一実施例の概略図であり、垂木上面に沿って位置する第一取付部及び破風部材の外側面に沿って位置する第二取付部に固定部材を挿入し、軒樋用吊り具を軒先に固定した例を示す。
【発明を実施するための形態】
【００２３】
以下に発明の実施形態について、図面を参照しつつ詳しく説明する。
【００２４】
図３には本発明に係る軒樋用吊り具５の一実施例の概略断面図が示されており、図１にはこの軒樋用吊り具５を軒先に取り付けたときの軒先構造の一実施例の概略断面図が示されている。軒樋用吊り具５は、垂木１の上面に沿って取り付けるための第一取付部５１と、軒樋６を取り付けるための吊り部５２とを備える。本実施例に係る軒先構造は、垂木１と、垂木１の外側面に隣接して上下方向に設置された破風部材４と、垂木１及び破風部材４の上側に設置された野地板２と、野地板２の上側に設置された屋根材３と、軒樋用吊り具５と、軒樋６とを備える。軒樋６は軒樋用吊り具５の吊り部５２に取り付けられている。
【００２５】
上述したように、図２に示すような従来の軒樋用吊り具５０は、ビスや釘等の固定用部材８を用いて上下方向に設置された破風部材４の外側面に固定されている。軒樋６には雨、雪又は風の力がかかる可能性があるため、破風部材４が破損しやすい材質の場合、または破風部材４が薄く、ビスや釘の固定効果を発揮できない場合は破風部材４から軒樋用吊り具５０が脱落しやすい。
【００２６】
これに対し、本実施例に係る軒樋用吊り具５は垂木１の上面に沿って取り付けるための第一取付部５１を有しており、図１に示すように垂木１の上面へ第一取付部５１を取り付けることができる。このため、破風部材４の材質、厚さの影響を受けずに軒樋用吊り具５を軒先に固定することが可能である。また、垂木１は屋根の骨格を形成する構造材であり、屋根を支えることができる程度に十分に厚みのある部材が利用されることから、ビスや釘等の固定用部材８による固定効果も高い。更に、垂木１の上面に軒樋用吊り具５の第一取付部５１を設けることで重力による固定力が得られるという利点も得られる。
【００２７】
そのため、破風部材４の材質及び厚さを含めた設計自由度が高くなり、例えば破風部材４の材質を木材のみならず、樹脂や金属などとすることも厚手の木製下地を要することなく可能であり、破風部材４の厚さも軒樋用吊り具５の取付強度を気にすることなく設定可能である。
【００２８】
また、本実施例に係る軒先構造において、軒樋用吊り具５の第一取付部５１は垂木１の上面及び野地板２の下面の間に挟まれている。第一取付部５１は外部から隠蔽されるため、雨、雪及び風の力を受けにくくなっており、このことも軒樋用吊り具５の脱落防止に貢献する。また、雨、雪及び風の影響が軽減されることにより、第一取付部５１の材質は錆や劣化を起こし難いという利点も得られる。なお、軒樋用吊り具５の第一取付部５１が垂木１の上面及び野地板２の下面の間に挟まれているというのは、第一取付部５１が垂木１の上面及び野地板２の下面に接触した状態で直接挟まれている態様に限られず、他の部材を介して間接的に挟まれている態様も含む概念である。
【００２９】
軒樋用吊り具５の第一取付部５１は垂木１の上面及び野地板２の下面の間に挟まれていることから、軒樋用吊り具５の第一取付部５１を垂木１の上面に取り付け、その後に野地板２を敷設する必要がある。第一取付部５１は、垂木１上への取付工事を容易に行えるようにするため、更には、垂木１上への野地板２の敷設工事に与える影響を小さくするため、垂木１の上面と接する平面を有することが好ましく、典型的には平板状とすることができる。また、第一取付部５１の厚さが厚い場合、軒樋用吊り具５を設置してない部分で垂木１と野地板２に隙間が生じるため、第一取付部５１の厚さは薄い方が望ましい。具体的には、第一取付部５１の厚さは５ｍｍ以下が好ましく、１ｍｍ以下がより好ましく、例えば０．２〜５ｍｍとすることができる。
【００３０】
軒樋用吊り具５の材質は軒樋６を支持できる剛性、および雨、雪又は風の力がかかっても破損し難く、長期耐久性を有する材質であることが好ましい。例えば金属、ポリカーボネート、ＡＳＡ樹脂、ＡＥＳ樹脂などが挙げられる。軒樋用吊り具５の材質を部位によって変更してもよい。ただし、軒樋用吊り具５の第一取付部５１を薄くする場合、厚さに対する引張強度を考慮すると、少なくとも第一取付部５１は樹脂製よりも金属製が好ましく、更に錆などの耐久性の良いステンレス、ガルバリウム等の金属または防錆剤などで表面コーティングした金属が望ましい。
【００３１】
軒樋用吊り具５の第一取付部５１は吊り部５２まで直線状でも良いが、後の破風部材４の工事や意匠性などを考慮すると略くの字に曲げておくことが好ましい。そして、軒樋用吊り具５は、破風部材４の外側面に沿って取り付けるための第二取付部５３を更に備えることがより好ましい。これにより、軒樋用吊り具５は破風部材４の外側面に沿って更に固定できるので、軒樋用吊り具５の取付強度が向上する。また、軒樋用吊り具５の第二取付部５３は、積雪、落雪などの軒樋６の上方よりかかる力に対して耐え易いように、破風部材４の外側面と接する平面を有することが好ましく、典型的には略平板状とすることができる。
【００３２】
軒樋用吊り具５は一体成形品でも良いが、図１に示すとおり、第一取付部５１の上には野地板２および屋根材３が工事されており、第一取付部５１を簡単に取り外すことができないため、吊り部５２に不具合があった場合などに簡単に交換できるよう、吊り部５２を脱着可能な別部品とすることが望ましい。吊り部５２の構造は軒樋６を取り付け可能であれば特に制限はなく、内吊り式及び外受け式の何れでもよいが、意匠性の観点からは内吊り式が好ましい。
【００３３】
図４は吊り部５２が脱着可能な軒樋用吊り具５の一実施例を説明する概略図である。本実施例に係る軒樋用吊り具５は、垂木１の上面に沿って取り付けるための第一取付部５１と、軒樋６を取り付けるための吊り部５２と、上下方向に設置された破風部材４の外側面に沿って取り付けるための第二取付部５３を有する。第二取付部５３は、吊り部５２に連結した外側部５３ａと、外側部５３ａに脱着可能な内側部５３ｂと、第一取付部５１の一端から延設され、外側部５３ａ及び内側部５３ｂによって挟持される挿入部５３ｃとを有する。
【００３４】
また、本実施例に係る軒樋用吊り具５は、吊り部５２及び第二取付部の外側部５３ａを構成する部品と、第一取付部５１及び挿入部５３ｃを構成する部品と、第二取付部の内側部５３ｂを構成する部品の三つの部品を有する。
【００３５】
外側部５３ａと内側部５３ｂを脱着可能とする構造には特に制限はなく、例えば一方に凸部、他方に凹部を設けるなどして係着可能な構造とすることができる。本実施例においては、第二取付部５３の外側部５３ａは破風部材４の外側面に平行な位置関係で設置される矩形板５３ａ１と、矩形板５３ａ１の左右端辺から立設された二つの側壁５３ａ２とを備えた枠体構造を有し、側壁５３ａ２に内側部５３ｂとの脱着を可能とする凹部（又は凸部）等で構成された係着部５３ａ３が設置されている。また、第二取付部５３の内側部５３ｂは、外側部５３ａの枠体構造の内面形状に対応し、外側部５３ａの枠体構造に収容可能な外面形状を有しており、外側部５３ａの側壁５３ａ２の凹部（又は凸部）等で構成された係着部５３ａ３と脱着可能な凸部（又は凹部）等で構成された係着部５３ｂ２を有する。なお、本実施例とは逆に、内側部５３ｂを枠体構造とし、外側部５３ａを内側部５３ｂの枠体構造に収容可能な構造としてもよい。
【００３６】
また、図４には、外側部５３ａの隠れている部分が点線で示されている。本実施例においては、外側部５３ａの矩形板５３ａ１の内面は、内側部５３ｂに向かって延びた一つ又は二つ以上の突起部５３ａ４を有し、外側部５３ａの矩形板５３ａ１の内面に対向する内側部５３ｂの矩形面５３ｂ１には、外側部５３ａの突起部５３ａ４と嵌合可能な一つ又は二つ以上の窪み部５３ｂ３を有する。一方、第一取付部５１の一端から延設された平板状の挿入部５３ｃには、外側部５３ａの突起部５３ａ４を挿通可能な穴５３ｃ１が空いており、外側部５３ａの突起部５３ａ４を挿入部５３ｃの穴５３ｃ１に挿通して、内側部５３ｂの窪み部５３ｂ３に嵌合することで、挿入部５３ｃが外側部５３ａ及び内側部５３ｂによって挟持固定される。なお、本実施例とは逆に、５３ａ４の箇所を窪み部とし、５３ｂ３の箇所を突起部とすることもできる。
【００３７】
軒樋用吊り具５の第一取付部５１を垂木１の上面に取り付ける場合、破風部材４の厚さを考慮して垂木１と吊り部５２の距離を設ける必要がある。この距離を設けるにあたり第一取付部５１に取り付け位置の指標を設けることが望ましい。取り付け位置の指標の例として、図４に示す軒樋用吊り具５の第一取付部５１及び挿入部５３ｃを構成する部品において目盛り線５１ａを設けた例を図５−１に、及び切り欠き５１ｂを設けた例を図５−２にそれぞれ示す。図５−１及び図５−２には、当該部品を矢印の方向から観察したときの概略図が示してある。
【００３８】
従来、破風部材工事後に軒樋用吊り具を取り付ける場合は軒樋の直線性を出すために水平出しを行い、軒樋用吊り具の取り付け位置を決めていたが、取り付け位置の指標を利用することで、水平出しを行うことなく、取り付け位置を決定することができる。
【００３９】
軒樋用吊り具５を垂木１へ取り付ける方法として、軒樋用吊り具５が雨、雪又は風で脱落しない取り付け方法であれば、その手法は問わないが、最も簡単な取り付け方法として釘やビスでの取り付け方法を示す概略図を図６に示す。垂木１の上面への固定部材７は取付強度を高めるために２点以上での固定が望ましい。なお、軒樋用吊り具５を固定する釘やビスなどを総称して固定用部材という。
【００４０】
図６では吊り部５２を記載しているが、吊り部５２が脱着可能な場合は吊り部５２を外した状態で第一取付部５１を垂木１の上面に取り付け、その後に吊り部５２を取り付けても良い。
【００４１】
固定部材７を用いて軒樋用吊り具５を垂木１の上面へ取り付ける場合を考慮すると、図４及び図５に記載しているように第一取付部５１には垂木１への固定用穴５１ｃを設けることが望ましい。
【００４２】
このように野地板２、屋根材３、破風部材４の工事前に垂木１の工事と同時に軒樋用吊り具５を取り付けることで、工期が短縮できる。
【００４３】
また、軒樋用吊り具５の取付強度を高める観点からは、破風部材４の外側面にも取り付け箇所を設けることが好ましく、この場合、図４及び図５に記載しているように第二取付部５３には破風部材４への固定用穴５４を設けることが望ましい。図７は垂木１の上面に沿って配置された第一取付部５１と破風部材４の外側面に沿って配置された第二取付部５３に、固定部材７及び固定部材８をそれぞれ挿入し、軒樋用吊り具５を軒先に固定した例を示している。軒樋用吊り具５を破風部材４へ固定用部材８で固定することで、軒樋６の下方からの吹上げ風の力に対する強度が増す。垂木１の上面への固定部材７と同様に、破風部材４の外側面への固定用部材８による固定は取付強度を高めるために、固定用部材８を取り付けるスペースが許せば２点以上での固定が望ましい。更に、固定部材８は第二取付部５３及び破風部材４を貫通し、先端が垂木１の内部で停止していることが取付強度確保の点で好ましい。
【００４４】
特に、軒樋用吊り具５の吊り部５２が図４に示す脱着可能な構造を有している場合、雨、雪又は風の力が加わると、係着部５３ａ３、５３ｂ２の係着が解放されて吊り部５２が外れる可能性があるため、軒樋用吊り具５の破風部材４の外側面に沿った取り付けは、軒樋用吊り具５の外側部５３ａ、挿入部５３ｃ、及び内側部５３ｂを貫通する一つ以上、好ましくは二つ以上の固定用部材８によって行われていることが好ましい。この場合、外側部５３ａ、挿入部５３ｃ、及び内側部５３ｂは、破風部材４へと貫通する固定用穴５４をそれぞれ有する。
【００４５】
破風部材４へ固定用部材８を挿入するための固定用穴５４の高さ位置は、破風部材４へ固定用部材８を水平に挿入した時に、破風部材４を貫通し、垂木１に１０ｍｍ以上挿入されて先端が垂木１内部で停止することが可能な位置とすることが好ましい。固定部材８が垂木に１０ｍｍ以上刺さることにより、固定部材の固定効果が発現するため、破風部材４の材質、厚さは固定効果に影響しない。
【符号の説明】
【００４６】
１…垂木
２…野地板  
３…屋根材  
４…破風部材  
５…軒樋用吊り具
５１…垂木上面への取付部（第一取付部）
５１ａ…目盛り線  
５１ｂ…切り欠き
５１ｃ…垂木への固定用穴  
５２…吊り部  
５３…第二取付部
５３ａ…外側部
５３ａ１…矩形板
５３ａ２…側壁
５３ａ３…係着部
５３ａ４…突起部
５３ｂ…内側部
５３ｂ１…矩形面
５３ｂ２…係着部
５３ｂ３…窪み部
５３ｃ…挿入部
５３ｃ１…穴
５４…破風部材への固定用穴
６…軒樋  
７…垂木への固定用部材  
８…破風部材への固定用部材
５０…従来の軒樋用吊り具
【図１】
0006603148.tif 000002
【図２】
0006603148.tif 000003
【図３】
0006603148.tif 000004
【図４】
0006603148.tif 000005
【図５−１】
0006603148.tif 000006
【図５−２】
0006603148.tif 000007
【図６】
0006603148.tif 000008
【図７】
0006603148.tif 000009